【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】  第１のメモリを有するロック制御ユニットにより制御されるロック機構で保護される場所へのアクセスを制御する方法であって、
該場所への所定のアクセス権を表わす第１のアクセス・コードを、該第１のメモリ内に記憶するステップと、
第２のアクセス・コードを電子キー・デバイスの第２のメモリ内に記憶するステップと、
該第２のアクセス・コードを該電子キー・デバイスから該ロック制御ユニットに対して送信することにより、該電子キー・デバイスを使用して該場所へのアクセスを要求するステップと、
送信された第２のアクセス・コードを、該第１のメモリ内に記憶された該第１のアクセス・コードと比較するステップと、
該第１のアクセス・コードが、該第２のアクセス・コードと一致する場合に、該ロック機構の操作を開始するステップと、を含み
該第２のメモリ内に該第２のアクセス・コードを記憶するステップは、該電子キー・デバイスの該第２のメモリ内に複数のそれぞれの場所についての複数のアクセス・コードを記憶する処理を含み、該複数のアクセス・コードを記憶する処理は複数のアクセス・コード・データ項目を記憶する処理を含み、該アクセス・コード・データ項目の各々は、該アクセス・コードが有効である対応するロック制御ユニットを識別する識別子を有し、該方法はさらに該複数の記憶されたアクセス・コードのうちの選択された１つのものの、該ロック制御ユニットに対する送信をユーザにより開始するステップであって、該ユーザが該複数の記憶されたアクセス・コードを編集しおよび再編成する権利を有しているステップと、を含む方法。
【請求項２】  請求項１に記載の方法において、
該電子キー・デバイスが、移動体通信デバイスである方法。
【請求項３】  請求項１に記載の方法において、
該第２のメモリが、該電子キー・デバイスに取り外し可能に挿入された取り外し可能記憶モジュールである方法。
【請求項４】  請求項１に記載の方法において、
該第２のアクセス・コードを該電子キー・デバイスから該ロック制御ユニットに対して送信するステップが、無線データ通信を介して該第２のアクセス・コードを送信する処理を含む方法。
【請求項５】  請求項４に記載の方法において、
該無線データ通信が、赤外線データ通信を利用するものである方法。
【請求項６】  請求項１に記載の方法において、さらに
アクセス・コード管理システムから、該電子キー・デバイスおよび該ロック制御ユニットのうちの選択された１つに対して、少なくとも１つアクセス・コードを通信ネットワークを介して送信するステップを含む方法。
【請求項７】  請求項１に記載の方法において、さらに
該ロック制御ユニットの該第１のメモリ内の複数のそれぞれのアクセス権に対応する複数の有効アクセス・コードを記憶するステップを含む方法。
【請求項８】  請求項１に記載の方法において、さらに
該場所にアクセスする試行についての情報を第３のメモリ内に記憶するステップを含む方法。
【請求項９】  請求項１に記載の方法において、
該所定のアクセス権利が、該所定のアクセス権のプロパティを指定する第１の属性を含み、および該第１のアクセス・コードが該第１の属性についての情報を含む方法。
【請求項１０】  請求項１に記載の方法において、
該所定のアクセス権が有効期間を有し、および該第１のアクセス・コードが該有効期間についての情報を含む方法。
【請求項１１】  請求項１に記載の方法において、さらに
該第１のアクセス・コードを無効にするステップを含む方法。
【請求項１２】  ロック機構によって保護される場所へのアクセスを制御するためのアクセス制御システムであって、
所定のアクセス権を付与を求める要求を表わす第１の制御信号を送信するのに適合された第１の送信要素を含む電子キー・デバイス、および
該電子キー・デバイスから該第１の制御信号を受信するのに適合した第１の受信要素と、該受信された要求の確認を行うのに適合した第１の処理ユニットと、該確認の結果に依存する該ロック機構を操作することを開始するのに適合した制御ユニットとを含むロック制御ユニットを備え、
該電子キー・デバイスは、複数の所定のアクセス権を識別する複数のアクセス・コードを記憶するのに適合したメモリをさらに含み、ユーザに該記憶されたアクセス・コードのうちの選択された１つを該ロック制御ユニットに送信開始できるようにし、およびユーザが該複数の記憶されたアクセス・コードを編集し再編成できるようにし、該メモリは、アクセス・コードが有効である対応するロック制御ユニットを識別する識別子を各々が有する複数のアクセス・コード・データ項目を記憶するよう構成されているアクセス制御システム。
【請求項１３】  請求項１２に記載のシステムにおいて、
該電子キー・デバイスが、さらに所定のアクセス権を識別するデータ項目を受信するための入力デバイスを含むシステム。
【請求項１４】  請求項１３に記載のシステムにおいて、
該入力デバイスが、キーパッドを含み、および該データ項目がユーザによる入力であるシステム。
【請求項１５】  請求項１２に記載のシステムにおいて、
該電子キー・デバイスが、さらに該メモリ内に記憶された該複数のアクセス権のうちの第１のものの選択を示す、ユーザからの入力を受信するのに適合した入力デバイス、および該電子キー・デバイスのメモリ内に記憶された該複数のアクセス権のうちの少なくとも１つについての情報を表示するためのディスプレイを含むシステム。
【請求項１６】  請求項１２に記載のシステムにおいて、
該第１の制御信号が、該要求されたアクセス権についての第１のアクセス・コードを含むシステム。
【請求項１７】  請求項１６に記載のシステムにおいて、
該ロック制御ユニットが、さらにそれぞれの所定のアクセス権についての複数のアクセス・コードに対応する複数のデータ項目を記憶するのに適合された記憶デバイスを備え、該処理ユニットが、該第１の制御信号の受信時に、該第１の制御信号を介して受信された該第１のアクセス・コードを該記憶デバイス内に記憶された該複数のアクセス・コードのうちの少なくとも１つと比較するよう適合されているシステム。
【請求項１８】  請求項１６に記載のシステムにおいて、
該要求されたアクセス権が、該要求されたアクセス権のプロパティを指定する第１の属性を含み、および該第１のアクセス・コードが該第１の属性についての情報を含むシステム。
【請求項１９】  請求項１６に記載のシステムにおいて、
該要求されたアクセス権が有効期間を有し、および該第１のアクセス・コードが該有効期間についての情報を含むシステム。
【請求項２０】  請求項１２に記載のシステムにおいて、
該電子キー・デバイスが、携帯通信デバイスであるシステム。
【請求項２１】  請求項１２に記載のシステムにおいて、
該第１の制御信号が、無線データ通信信号であるシステム。
【請求項２２】  請求項１２に記載のシステムにおいて、
該第１の送信手段が、赤外線通信ポートであるシステム。
【請求項２３】  請求項１２に記載のシステムにおいて、
該ロック制御ユニットが、さらに所定のアクセス権を付与するアクセス・コードに対応するデータ項目を受信するための入力デバイスを含むシステム。
【請求項２４】  請求項２３に記載のシステムにおいて、
該入力デバイスが、ユーザによるデータ項目入力を受信するためのキーパッドを含むシステム。
【請求項２５】  請求項１２に記載のシステムにおいて、さらにコンピュータ手段を備え、このコンピュータ手段が、
それぞれの所定のアクセス権に対応し、それぞれのアクセス・コードを含む複数のデータ項目を記憶するのに適合した記憶手段と、
該電子キー・デバイスおよび該ロック制御ユニットのうちの選択された１つに対して少なくとも１つのアクセス・コードを送信するのに適合した通信手段と、を含み、
該電子キー・デバイスおよび該ロック制御ユニットのうちの該選択された１つが、さらに該送信された少なくとも１つのアクセス・コードを受信するのに適合した通信手段を含むシステム。
【請求項２６】  請求項２５に記載のシステムにおいて、
該電子キー・デバイスおよび該ロック制御ユニットのうちの選択された１つが、該コンピュータ手段に対して、要求されたアクセス権の付与を求める対応する送信もしくは受信された要求についての情報を表わす情報信号を送信するための通信手段を含むシステム。
【請求項２７】  請求項２５に記載のシステムにおいて、
該コンピュータ手段に含まれた該通信手段が、少なくとも１つのアクセス・コードの無効を開始するロック制御ユニットに対して第２の制御信号を送信するよう適合されているシステム。
【請求項２８】  請求項１２に記載のシステムにおいて、
該電子キー・デバイスのメモリが、ＲＡＭモジュール又はＥＰＲＯＭモジュールを含むシステム。
【請求項２９】  請求項２８に記載のシステムにおいて、
該電子キー・デバイスが移動電話器であるシステム。
【請求項３０】  請求項１２に記載のシステムにおいて、
該メモリが、該複数の所定のアクセス権を識別するデータ項目を記憶するのに適合した取り外し可能記憶モジュールを含むシステム。
【請求項３１】  請求項３０に記載のシステムにおいて、
該取り外し可能記憶モジュールが、さらに該複数の所定のアクセス権のうちの選択された１つの付与を求める要求を表わす制御信号の送信を開始するのに適合した第２の処理ユニットを含むシステム。
【請求項３２】  請求項１２に記載のシステムにおいて、さらにコンピュータ・システムを備え、このコンピュータ・システムが、
所定のアクセス権を表わすそれぞれのアクセス・コードに対応する複数のデータ項目を記憶するのに適合した記憶手段と、
それぞれのアクセス権を表わすアクセス・コードを発生するのに適合した処理手段と、
該電子キー・デバイスのメモリ内に該複数のアクセス・コードを記憶するための該電子キー・デバイスに対して、該複数のアクセス・コードを送信するのに適合した通信手段と、を含むシステム。
【請求項３３】  請求項３２に記載のシステムにおいて、
該コンピュータ・システムの処理手段が、該アクセス権を表わす更新されたアクセス・コードであって、以前に発生されたアクセス・コードとは異なる該アクセス権に対応する更新されたアクセス・コードを発生するようさらに適合されており、
該コンピュータ・システムの該通信手段が、該ロック制御ユニットに該更新されたアクセス・コードを送信するよう適合され、および
該コンピュータ・システムの該通信手段が、該以前に発生されたアクセス・コードの無効化を開始する該ロック制御ユニットに対し制御信号を送信するよう適合されているシステム。
【請求項３４】  請求項３３に記載のシステムにおいて、
該コンピュータ・システムの処理手段が、アクセス権について以前に発生されたアクセス・コードの無効化を開始し、およびユーザからの要求時に、該アクセス権に対応する、該以前に発生されたアクセス・コードとは異なる更新されたアクセス・コードを発生するようさらに適合しているシステム。
【請求項３５】  請求項３３に記載のシステムにおいて、
該コンピュータ・システムの処理手段が、アクセス権について以前に発生されたアクセス・コードの無効化を開始し、および所定の時間期間において、該アクセス権に対応する、該以前に発生されたアクセス・コードとは異なる更新されたアクセス・コードを発生するように適合されているシステム。
【請求項３６】  ロック制御ユニット・メモリを有するそれぞれのロック制御ユニットにより制御されたロック機構により各々が保護される複数の場所へのアクセスを制御する方法であって、
各ロック制御ユニットについて、そのロック制御ユニットのメモリ内に、それぞれの場所への所定のアクセス権を表わすそれぞれのアクセス・コードであって、他の場所へのアクセス・コードとは異なるようなそれぞれのアクセス・コードを記憶するステップと、
電子キー・デバイスの第２のメモリ内の複数のそれぞれの場所についての複数のアクセス・コードを入力し、記憶するステップであって、該電子キー・デバイスのユーザが該記憶された複数のアクセス・コードを入力し、編集し、および再編成する権利を有し、該複数のアクセス・コードを記憶するステップが複数のアクセス・コード・データ項目を記憶する処理を含み、各アクセス・コード・データ項目が、そのアクセス・コードが有効である対応するロック制御ユニットを識別する識別子を有しているようなステップと、
該第１のロック制御ユニットにより制御された場所へのアクセスを要求する第１のアクセス・コードを有する第１のロック制御ユニットに対する該複数の記憶されたアクセス・コードのうちの選択された１つの送信を該ユーザにより開始するステップと、
該送信されたアクセス・コードを、該第１のロック制御ユニットメモリ内に記憶された該第１のアクセス・コードと比較するステップと、
該第１のアクセス・コードが該送信されたアクセス・コードと一致する場合に、該ロック機構の操作を開始するステップと、
該ユーザにより、該第２のメモリ内に記憶された該複数のアクセス・コードを編集して該第２の複数のそれぞれの場所へのアクセスを獲得するステップと、を含む方法。
【請求項３７】  請求項３６に記載の方法において、
該入力しおよび編集するステップが、アクセス・コード管理システムからの該アクセス・コードを転送する処理を含む方法。
【請求項３８】  請求項３６に記載の方法において、
該入力しおよび編集するステップが、該電子キー・デバイス上のキーパッドを用いて該アクセス・コードを入力する処理を含む方法。